(57)【要約】【課題】ユーザへ与える不快感を軽減する再生装置および再生システムを提供する。【解決手段】認証処理部１０１が取得したデジタルコンテンツを再生用に処理する処理部１０２と、この処理部１０２が処理したデジタルコンテンツを再生する再生部１０４と、処理部１０２が処理したデジタルコンテンツを記憶する記憶部１０３とを備え、再生部１０４は、認証処理部１０１と接続する第１配信装置１１または第２配信装置から再度認証要求されたとき、記憶部１０３に記憶したデジタルコンテンツを再生する。【選択図】図２
2011023932.tif 000002
【特許請求の範囲】
【請求項１】
デジタルコンテンツを配信する複数の配信装置のいずれかと選択的に接続し、この接続した配信装置から認証された後デジタルコンテンツを取得する認証処理部と、
この認証処理部が取得したデジタルコンテンツを再生用に処理する処理部と、
この処理部が処理したデジタルコンテンツを再生する再生部と、
前記処理部が処理したデジタルコンテンツを記憶する記憶部とを備え、
前記再生部は、前記認証処理部と接続する配信装置から再度認証要求されたとき、前記記憶部に記憶したデジタルコンテンツを再生することを特徴とする再生装置。
【請求項２】
接続した装置を認証処理した後にデジタルコンテンツを配信する複数の配信装置と、
この複数の配信装置のうち一の配信装置と各々選択的に接続し、この接続した配信装置からデジタルコンテンツを取得する複数の再生装置と、
前記配信装置と再生装置との間に前記配信装置と前記再生装置との接続を切替える切替装置とを備え、
前記再生装置は、
前記配信装置から認証された後にデジタルコンテンツを取得する認証処理部と、
この認証処理部が取得したデジタルコンテンツを再生用に処理する処理部と、
この処理部が処理したデジタルコンテンツを再生する再生部と、
前記処理部が処理したデジタルコンテンツを記憶する記憶部とを有し、
前記再生部は、
前記切替装置が前記配信装置と前記再生装置との接続のうち自再生装置の接続を切替えなかった場合に前記記憶部に記憶したデジタルコンテンツを再生することを特徴とする再生システム。
【発明の詳細な説明】
【技術分野】
【０００１】
本発明はデジタルコンテンツを再生する再生装置および再生システムに関する技術である。
【背景技術】
【０００２】
近年、家庭内のデジタル機器を相互接続し、ユーザーが各種高画質・高音質で楽しむ家庭内ネットワークが実現されている。例えば、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）は１本のケーブルで映像、音声及び制御信号を伝送可能な次世代ＡＶ機器向けのデジタル映像・音声入出力インターフェース規格である（例えば、非特許文献１参照）。
【０００３】
デジタルコンテンツの著作権保護として、ＨＤＣＰ（Ｈｉｇｈ−ｂａｎｄｗｉｄｔｈ  Ｄｉｇｉｔａｌ  Ｃｏｎｔｅｎｔ  Ｐｒｏｔｅｃｔｉｏｎ）が用いられている。このＨＤＣＰでは、デジタルコンテンツを配信するソース部が、デジタルコンテンツを再生するシンク部までの配信経路を認識し、経路に変更が発生すると、一度デジタルコンテンツの配信を停止し、再度ソース部とシンク部間の認証を実施する。（例えば、非特許文献２参照）
このようなＨＤＣＰを用いたＨＤＭＩの再生システムとして車載用のＲＳＥ（Ｒｅａｒ
Ｓｅａｔ  Ｅｎｔｅｒｔａｉｎｍｅｎｔ）が開発されつつある。ＲＳＥでは、特に、複数のソース部と複数のシンク部を有するため、ソース部からシンク部へデジタルコンテンツを分配するための分配部を設けている。
【０００４】
図３は、従来の再生システムのブロック図である。
【０００５】
図３に示すように、再生システムは、ソース部である配信装置１と、シンク部である再生装置２と、リピータ部である分配機器３とを備える。
【０００６】
配信装置１は、複数の配信装置で構成され、第１配信装置１１、第２配信装置１２を備える。第１配信装置１１、第２配信装置１２は、例えばＢＤ−Ｐ（Ｂｌｕ−ｌａｙ  Ｄｉｓｃ  Ｐｌａｙｅｒ）やＤＴＶ（Ｄｉｇｉｔａｌ  Ｔｅｌｅｖｉｓｉｏｎ）のチューナーで構成される。第１配信装置１１、第２配信装置１２は、第１再生装置２１または第２再生装置２２に接続した場合、ＨＤＣＰによる認証を行う。第１配信装置１１、第２配信装置１２は、このＨＤＣＰによる認証後、接続した第１再生装置２１または第２再生装置２２にデジタルコンテンツ情報を公開鍵方式によって暗号化して配信する。
【０００７】
再生装置２は、複数の再生装置で構成され、第１再生装置２１、第２再生装置２２を備える。第１再生装置２１、第２再生装置２２は、例えば車両前席左右のヘッドレスト後部に配置される。
【０００８】
分配機器３は、切替部３１と、この切替部３１を制御する制御部３２とを備える。切替部３１は、第１配信装置１１と第２配信装置１２、および、第１再生装置２１、第２再生装置２２の接続を制御部３２の命令に応じて切替える。制御部３２は、第１再生装置２１や第２再生装置２２からの切替命令に応じて切替部３１を制御する。切替部３１によって、第１再生装置２１、第２再生装置が再生するデジタルコンテンツは、すべて同一であるという制約が無く、別々のデジタルコンテンツを再生することができる。
【０００９】
第１配信装置１１、第２配信装置１２は、第１再生装置２１または第２再生装置２２と
接続したデジタルコンテンツ配信経路を認識している。第１配信装置１１、第２配信装置１２は、この経路が切替部３１によって変更されると、一度デジタルコンテンツの配信を中断し、再度、接続した第１再生装置２１または第２再生装置２２との認証を行う。例えば、第１配信装置１１が第１再生装置２１および第２再生装置２２と接続している場合に、切替部３１によって第２配信装置２１が第２再生装置２２と接続するよう切替わると、第１配信装置１１は再度第１再生装置２１に対してＨＤＣＰによる認証を行い、第２配信装置１１は第２再生装置２２に対してＨＤＣＰによる認証を行う。
【００１０】
このとき、第１再生装置２１、第２再生装置２２は、第１配信装置１１、第２配信装置１２からデジタルコンテンツを受信することができない。したがって、例えば第１再生装置２１、第２再生装置２２が映像表示できる場合、画面が黒く表示される。
【先行技術文献】
【非特許文献】
【００１１】
【非特許文献１】Ｈｉｇｈ−Ｄｅｆｉｎｉｔｉｏｎ  Ｍｕｌｔｉｍｅｄｉａ  Ｉｎｔｅｒｆａｃｅ  Ｓｐｅｃｉｆｉｃａｔｉｏｎ  Ｖｅｒ．１．３
【非特許文献２】Ｈｉｇｈ−ｂａｎｄｗｉｄｔｈ  Ｄｉｇｉｔａｌ  Ｃｏｎｔｅｎｔ  Ｐｒｏｔｅｃｔｉｏｎ  Ｓｙｓｔｅｍ  Ｒｅｖｉｓｉｏｎ  １．３
【発明の開示】
【発明が解決しようとする課題】
【００１２】
第１再生装置２１および第２再生装置２２が第１配信装置１１に接続している場合に、切替部３１によって第１再生装置２１および第２再生装置２２が第２配信装置１１との接続が切替わった場合、ともに再生内容が変わる。この場合、第１再生装置２１および第２再生装置２２をそれぞれ視聴している各ユーザは現在の再生内容を中断してもよい意思表示を示しているため、第２配信装置１２からデジタルコンテンツの配信が中断されてもユーザが特に違和感を覚えることはない。
【００１３】
しかし、第１再生装置２１および第２再生装置２２が第１配信装置１１に接続している場合に、切替部３１によって第１再生装置２１のみが第２配信装置１２との接続に切替わっても、第２再生装置２２も再度第１配信装置１１の認証が必要になる。第１配信装置１１による第２再生装置２２の認証作業中、第１配信装置１１からのデジタルコンテンツ配信は中断される。このように、第２再生装置２２を視聴していたユーザは、第１配信装置１１のデジタルコンテンツの視聴を続けたいにもかかわらず中断されるため、不快感をおぼえる。
【００１４】
本発明は、この課題を解決するために考えたもので、ユーザへ与える不快感を軽減する再生装置および再生システムを提供することを目的とする。
【課題を解決するための手段】
【００１５】
上記課題を解決するため、本発明は、再生部が、認証処理部と接続する配信装置から再度認証要求されたとき、記憶部に記憶したデジタルコンテンツを再生する。
【発明の効果】
【００１６】
本発明によれば、配信装置から再度認証要求されたときにデジタルコンテンツの再生を継続して再生することができるのでユーザの不快感を低減することができる。
【図面の簡単な説明】
【００１７】
【図１】本発明の一実施形態における再生装置のブロック図
【図２】本発明の一実施形態の再生装置による配信装置との接続切替時の再生処理の制御を説明するフローチャート図
【図３】従来の再生システムのブロック図
【発明を実施するための形態】
【００１８】
以下、本発明の一実施形態における再生装置について、図面を用いて説明する。なお、従来の再生システムと同様の構成については、以下、同じ符号を付し、詳細な説明を省略する。本発明の一実施形態における再生装置は、第１再生装置２１、または、第２再生装置２２に相当する。
【００１９】
図１は、本発明の一実施形態における再生装置のブロック図である。
【００２０】
図１において、再生装置は、認証処理部１０１と、再生処理部１０２と、記憶部１０３と、再生部１０４と、入力部１０５と、制御部１０６とを備える。
【００２１】
認証処理部１０１は、ＣＰＵやメモリを備え、公開鍵情報と秘密鍵情報とを有する。認証処理部１０１は、切替部３１を介して第１配信装置１１または第２配信装置１２と接続する。認証処理部１０１は、接続した第１配信装置１１または第２配信装置１２からＨＤＣＰ認証要求を受けて公開鍵の情報を送信する。認証処理部１０１は、接続した第１配信装置１１または第２配信装置１２から認証された後、暗号化されたデジタルコンテンツを取得する。認証処理部１０１は、この取得したデジタルコンテンツを秘密鍵を用いて復号化する。
【００２２】
再生処理部１０２は、ＶＬＳＩ等で構成され、認証処理部１０１、記憶部１０３、表示部１０４、制御部１０５と接続する。再生処理部１０２は、認証処理部１０１が復号化したデジタルコンテンツを取得し、再生用に処理する。例えば、再生処理部１０２は、取得したデジタルコンテンツを音声信号や映像信号に変換処理する。再生処理部１０２は、この再生用に処理したデジタルコンテンツを記憶部１０３、再生部１０４に出力する。また、再生処理部１０２は、制御部１０６の命令に従って後述の処理を行う。
【００２３】
記憶部１０３は、フレームメモリで構成され、数十秒または数分間のデジタル映像コンテンツを格納しておくことのできる十分な容量を保持している。記憶部１０３は、再生処理部１０２と接続する。記憶部１０３は、再生処理部１０２が処理したデジタルコンテンツを制御部１０６の命令によって記憶する。また、記憶部１０３は、再生処理部１０２を介して、この記憶したデジタルコンテンツや、あらかじめ記憶している所定の画像や音声を再生部１０４に出力する。
【００２４】
再生部１０４は、液晶ディスプレイや有機ＥＬ等からなる表示部や、スピーカ等からなる音声出力部で構成される。再生部１０４は、再生処理部１０２と接続し、再生処理部１０２や再生処理部１０２を介して記憶部１０３から取得したデジタルコンテンツを音声出力や映像表示する。また、再生部１０４は、再生処理部１０２からデジタルコンテンツが入力されない場合に再生処理部１０２を介して記憶部１０３から取得した黒画像の表示や待機案内を行う。
【００２５】
入力部１０５は、再生部１０４上に表示されたタッチパネルやリモコンで構成され、ユーザによる第１配信装置１１や第２配信装置１２の選択を入力する。また、入力部１０５は、制御部１０６と接続し、入力部１０５の入力情報を出力する。
【００２６】
制御部１０６は、ＣＰＵやＲＡＭで構成され、再生処理部１０２、入力部１０５、制御部３２に接続される。制御部１０６は、入力部１０５から入力された第１配信装置１１または第２配信装置１２の選択情報を制御部３２に出力する。なお、分配機器３の制御部３
２は、この選択情報に基づいて切替部３１を制御し、切替部３１に第１配信装置１１または第２配信装置１２と第１再生装置２１との接続を切替させる。そして、制御部１０６は、分配機器３の切替部３１による接続切替の情報を制御部３２から取得する。また、制御部１０６は、後述の処理により、再生処理部１０２を制御する。
【００２７】
次に、本発明の一実施形態の再生装置が配信装置との接続切替時の再生処理について図面を用いて説明する。
【００２８】
図２は、本発明の一実施形態の再生装置による配信装置との接続切替時の再生処理の制御を説明するフローチャート図である。
【００２９】
まず、ステップＳ１１０に示すように、制御部１０６は、認証処理部２１が接続している第１配信装置１１または第２配信装置２２から取得した認証後のデジタルコンテンツのデータを再生処理部１０２で再生用に処理した後、フレームメモリ２４に格納させる。
【００３０】
次に、ステップＳ１２０に示すように、制御部１０６は、デジタルコンテンツの配信経路に変更がないか否かを判定する。換言すると、制御部１０６は、入力部１０５からの切替選択の情報があるか否か、または、制御部３２から取得した配信装置１と再生装置２の接続の切替情報に自再生装置の切替情報があるか否か基づいて、配信装置１と再生装置２の接続切替があったか否か判定する。
【００３１】
ステップＳ１２０で「ＹＥＳ」の場合、すなわち、自再生装置と自再生装置に接続する第１配信装置１１または第２配信装置１２との接続関係は変更されていないが、自再生装置ではない再生装置の接続関係が変更された場合、ステップＳ１３０に示すように、この変更の情報を制御部３２を介して受信した第１配信装置１１と第２配信装置１２は、デジタルコンテンツの配信を停止する。制御部１０６は、自再生装置と自再生装置に接続する第１配信装置１１または第２配信装置１２との接続関係は変更されていないが、自再生装置ではない再生装置の接続関係が変更されたことを、入力部１０５からの入力が無いこと、および、制御部３２から接続切替の情報を取得したことから判定することができる。
【００３２】
そして、ステップＳ１４０に示すように、制御部１０６は、第１配信装置１１と第２配信装置１２の再認証による中断で欠落したデジタルコンテンツの欠落データを推定する。
【００３３】
そして、ステップＳ１５０に示すように、制御部１０６は、推定したデジタルコンテンツの欠落データをもとに、記憶部１０３に記憶されたその欠落前後のデータにより欠落データの補完復元を再生処理部１０２に行わせる。なお、制御部１０６は、欠落データを削除し、その前後のデジタルコンテンツをつなぎあわせるよう再生処理部１０２に命令してもよい。
【００３４】
そして、ステップＳ１２０で「ＮＯ」の場合、 またはステップＳ１５０の後、ステップＳ１６０に示すように、制御部１０６は、再生処理部１０２への命令により復元されたデータを表示部１０４に表示させる。この表示は、記憶部１０３にデジタルコンテンツを記憶しつつこの記憶部１０３のデータに基づいた再生であるため、追っかけ再生の効果を奏する 。
【００３５】
これにより、第１配信装置１１や第２配信装置から再度認証要求されたときにデジタルコンテンツの再生を継続して再生することができるのでユーザの不快感を低減することができる。
【００３６】
尚、本構成は代表例として車載環境における再生についての効果を述べているが、それ
に限るものではなく、一般家庭機器環境また、デジタル音声配信の環境についても同様の構成が考えられる。また、伝送部分はデジタルケーブルのものだけではなく、無線化した場合も同様の構成がされうる。
【産業上の利用可能性】
【００３７】
以上のように、本発明にかかる再生装置及び再生システムは、ソース部、シンク部が複数あるＨＤＣＰを用いたＨＤＭＩシステムに有用である。
【符号の説明】
【００３８】
１０１  認証処理部
１０２  映像処理部
１０３  記憶部
１０４  表示部
【図１】
2011023932.tif 000003
【図３】
2011023932.tif 000004
【図２】
2011023932.tif 000005